(57)【要約】【課題】種々のハンドツールを取り出しやすいように収容でき、かつ、必要な数に応じて収容スペースを増減できる省スペースのハンドツールスタンドを提供する。【解決手段】  底壁２と、底壁２の一端部に立設され、上端部にハンドツール支持部７を設けた前壁３と、前壁３と対向するように底壁２に設けられた後壁４と、底壁２と前壁３と後壁４によって画成される空間の側面の少なくとも一部を閉塞する側壁５と、を有するハンドツールスタンド１であって、ハンドツールスタンド１は、ハンドツールスタンド同士を並列的に連結する連結部６を有するように構成した。【選択図】図１
2019122728.tif 000002
【特許請求の範囲】
【請求項１】
底壁と、
前記底壁に対して立ちあがった形状をなし、上端部にハンドツール支持部を設けた前壁と、
前記前壁と対向するように前記底壁に設けられた後壁と、
前記底壁と前記前壁と前記後壁によって画成される空間の側面の少なくとも一部を閉塞する側壁と、を有するハンドツールスタンドであって、
前記ハンドツールスタンドは、ハンドツールスタンド同士を並列的に連結する連結部を有することを特徴とするハンドツールスタンド。
【請求項２】
請求項１に記載のハンドツールスタンドであって、
前記ハンドツール支持部は、ハンドツールを受ける凹部を有していることを特徴とするハンドツールスタンド。
【請求項３】
請求項１または２に記載のハンドツールスタンドであって、
前記ハンドツールスタンドの載置面を有する台座部と、前記台座部に対して回動可能に支持された置台とを有し、
前記ハンドツール支持部は、前記置台側に設けられており、
前記連結部は、前記台座部に設けられていることを特徴とするハンドツールスタンド。
【請求項４】
請求項１〜３のいずれか一項に記載のハンドツールスタンドであって、
前記側壁は、側方からハンドツールにアクセス可能な開口部を有していることを特徴とするハンドツールスタンド。
【請求項５】
請求項１〜４のいずれか一項に記載のハンドツールスタンドであって、
前記連結部は、前記底壁または前記側壁に接続された縦断面コの字状の係合部と、前記係合部と嵌合する係合溝を有することを特徴とするハンドツールスタンド。
【請求項６】
請求項１〜４のいずれか一項に記載のハンドツールスタンドであって、
前記連結部は、頭部に膨出部を有する突起と、
前記突起と嵌合する連結孔を有することを特徴とするハンドツールスタンド。
【請求項７】
請求項１〜６のいずれか一項に記載のハンドツールスタンドであって、
前記ハンドツール支持部は、ハンドツールを支持する支持子と、前記支持子を支承する支承部とを有することを特徴とするハンドツールスタンド。
【請求項８】
請求項７に記載のハンドツールスタンドであって、
前記支持子は取り替え可能であることを特徴とするハンドツールスタンド。
【請求項９】
請求項７または８に記載のハンドツールスタンドであって、
前記支持子は、軸と、前記軸に設けられた、少なくとも一対の対向する板材を有していることを特徴とするハンドツールスタンド。
【請求項１０】
請求項９に記載のハンドツールスタンドであって、
前記板材は前記軸上でスライドして前記板材の間の幅を調節可能であることを特徴とするハンドツールスタンド。
【請求項１１】
請求項９または１０に記載のハンドツールスタンドであって、
前記板材の間の深さは前記支持子の回転角によって調節可能であることを特徴とするハンドツールスタンド。
【請求項１２】
請求項７〜１１のいずれか一項に記載のハンドツールスタンドであって、
前記支承部は前記前壁から前方に延出する水平部を有し、前記水平部は前記支持子を支承する支承溝を少なくとも一つ有していることを特徴とするハンドツールスタンド。
【請求項１３】
請求項１〜１２のいずれか一項に記載のハンドツールスタンドであって、
前記側壁はハンドツール先端の浮き上がりを係止する押さえ部を有していることを特徴とするハンドツールスタンド。
【請求項１４】
請求項１３に記載のハンドツールスタンドであって、
前記押さえ部は、前記側壁に設けられた概略水平のスライド溝と、前記スライド溝内をスライドし、ハンドツール先端を係止する位置を調整することができる係止部を有するスライド部材を有していることを特徴とするハンドツールスタンド。
【請求項１５】
請求項１〜１４のいずれか一項に記載のハンドツールスタンドであって、
前記前壁と前記後壁は、上方に拡開するように傾斜していることを特徴とするハンドツールスタンド。
【請求項１６】
請求項１〜１５のいずれか一項に記載のハンドツールスタンドであって、
前記後壁は前記底壁からの立ち上がり部と、前記立ち上がり部に接続され、前記立ち上がり部に対してわずかに後方に傾斜する区分表示部と、前記区分表示部に接続され、後方に延出するハンドル部を有していることを特徴とするハンドツールスタンド。
【請求項１７】
請求項１６に記載のハンドツールスタンドであって、
前記ハンドル部は、樹脂からなるエンブレム部材と、前記エンブレム部材を嵌着させる開口部を有していることを特徴とするハンドツールスタンド。
【請求項１８】
請求項１〜１７のいずれか一項に記載のハンドツールスタンドであって、
前記底壁の底面に設けられた滑り止め部と、
前記底壁の上面に設けられたクッション部と、を有していることを特徴とするハンドツールスタンド。
【請求項１９】
請求項１８に記載のハンドツールスタンドであって、
前記滑り止め部と前記クッション部は、互いに連結された弾性部材からなり、
前記底壁は前記弾性部材を嵌着させる開口部を有していることを特徴とするハンドツールスタンド。
【請求項２０】
請求項１〜１９のいずれか一項に記載のハンドツールスタンドであって、
並列的に連結されたハンドツールスタンドの側面に取り付け可能な終端板を有していることを特徴とするハンドツールスタンド。
【発明の詳細な説明】
【技術分野】
【０００１】
本発明は、ハンドツール用のスタンドに関する。
【背景技術】
【０００２】
調理用具の収容に関しては、本体に複数の調理用具を収容するスペースを設け、調理用具を必要に応じて収容したり、取り出したりすることができるようにした調理用具のスタンドが提案されている。
【０００３】
特許文献１には、スタンド本体に複数の調理用具を収容する収納孔を設け、その収納孔に連通し上方へ開放する一又は二以上の他の縦収納孔を設け、調理用具を収容した時に転倒しないようにし、かつ、調理用具同士が絡み合わない様にするとともに、省スペース化を図った調理用具用スタンドが開示されている。
【０００４】
また、特許文献２には、包丁の柄の一番後ろ部分に抜き差しする結合部分を設け、底板の対応する部分に前記結合部分に挿入可能な凸部を設け、包丁の刃を空中に保持できるようにした包丁スタンドが開示されている。
【先行技術文献】
【特許文献】
【０００５】
【特許文献１】特開２００７−３３０５７５号公報
【特許文献２】特開２０１０−２２０７４５号公報
【発明の概要】
【発明が解決しようとする課題】
【０００６】
しかしながら、特許文献１の調理用具スタンドでは、調理用具が直立に近い不安定な状態で収容されているため、調理用具を交換する際に転倒する可能性があった。
【０００７】
これに対して、調理用具を素早く交換しながら調理できるような、安全で安定した調理用具スタンドに対する要求があった。
【０００８】
また、必要な調理用具の数は使用者によって区々であり、調理用具の数が増えたときに、特許文献１の調理用具スタンドでは、複数の調理用具スタンドを使用することになり、省スペースを図ることができなかった。
【０００９】
このため、調理用具の数に応じて、収容スペースを調整できる調理用具スタンドに対する要求があった。
【００１０】
特許文献２の包丁スタンドは、包丁の柄の一番後ろ部分に抜き差しする結合部分を設ける必要があり、かかる結合部分を有しない一般的な調理用具に使用することができなかった。また、結合部分をその都度凸部に差し込む必要があるため、素早く調理用具を交換することができなかった。
【００１１】
なお、以上で述べた従来技術の課題は、調理用具に限られず、手で取り扱う道具であるハンドツール一般に対する共通の課題であった。すなわち、ハンドツールの中には、作業の段階に応じて複数種類のものから必要なものを選択して使用するような種類のものが多く存在する。例えば、工具においては、切る、たたく、研磨するなどの作業に応じて、のこぎり、ハンマー、ヤスリなどを適宜選択あるいは交換して使用する必要がある。また、同一種類のハンドツールでも、例えば歯ブラシのように複数のものの中から自分のものを選択して取り出す場合もある。
【００１２】
これらの複数のハンドツールを、コンパクトかつ取り出しやすいように収容し、かつ、必要な数に応じて収容スペースを増減できるハンドツールスタンドが求められていた。
【００１３】
本発明は、上記の問題を鑑みてなされたものであり、種々のハンドツールを取り出しやすいように収容でき、かつ、必要な数に応じて収容スペースを増減できる省スペースのハンドツールスタンドを提供することにある。
【課題を解決するための手段】
【００１４】
上述した課題を解決するために、本発明のハンドツールスタンドは、
底壁と、前記底壁に対して立ちあがった形状をなし、上端部にハンドツール支持部を設けた前壁と、前記前壁と対向するように前記底壁に設けられた後壁と、前記底壁と前記前壁と前記後壁によって画成される空間の側面の少なくとも一部を閉塞する側壁と、を有するハンドツールスタンドであって、前記ハンドツールスタンドは、ハンドツールスタンド同士を並列的に連結する連結部を有することを特徴とする。
【００１５】
前記ハンドツール支持部は、ハンドツールを受ける凹部を有するようにしてもよい。
【００１６】
前記ハンドツールスタンドの載置面を有する台座部と、前記台座部に対して回動可能に支持された置台とを有し、前記ハンドツール支持部は、前記置台側に設けられ、前記連結部は、前記台座部に設けられていてもよい。
【００１７】
前記側壁は、側方からハンドツールにアクセス可能な開口部を有するようにしてもよい。
【００１８】
前記連結部は、前記底壁または前記側壁に接続された縦断面コの字状の係合部と、前記係合部と嵌合する係合溝を有するようにしてもよい。
【００１９】
前記連結部は、頭部に膨出部を有する突起と、前記突起と嵌合する連結孔を有するようにしてもよい。
【００２０】
前記ハンドツール支持部は、ハンドツールを支持する支持子と、前記支持子を支承する支承部とを有するようにしてもよい。
【００２１】
前記支持子は取り替え可能であってもよい。
【００２２】
前記支持子は、軸と、前記軸に設けられた、少なくとも一対の対向する板材を有するようにしてもよい。
【００２３】
前記板材は前記軸上でスライドして前記板材の間の幅を調節可能であってもよい。
【００２４】
前記板材の間の深さは前記支持子の回転角によって調節可能であってもよい。
【００２５】
前記支承部は前記前壁から前方に延出する水平部を有し、前記水平部は前記支持子を支承する支承溝を少なくとも一つ有するようにしてもよい。
【００２６】
前記側壁はハンドツール先端の浮き上がりを係止する押さえ部を有するようにしてもよい。
【００２７】
前記押さえ部は、前記側壁に設けられた概略水平のスライド溝と、前記スライド溝内をスライドし、ハンドツール先端を係止する位置を調整することができる係止部を有するようにしてもよい。
【００２８】
前記前壁と前記後壁は、上方に拡開するように傾斜していてもよい。
【００２９】
前記後壁は前記底壁からの立ち上がり部と、前記立ち上がり部に接続され、前記立ち上がり部に対してわずかに後方に傾斜する区分表示部と、前記区分表示部に接続され、後方に延出するハンドル部を有するようにしてもよい。
【００３０】
前記ハンドル部は、樹脂からなるエンブレム部材と、前記エンブレム部材を嵌着させる開口部を有するようにしてもよい。
【００３１】
前記底壁の底面に設けられた滑り止め部と、前記底壁の上面に設けられたクッション部と、を有するようにしてもよい。
【００３２】
前記滑り止め部と前記クッション部は、互いに連結された弾性部材からなり、前記底壁は前記弾性部材を嵌着させる開口部を有するようにしてもよい。
【００３３】
並列的に連結されたハンドツールスタンドの側面に取り付け可能な終端板を有するようにしてもよい。
【発明の効果】
【００３４】
本発明によれば、種々のハンドツールを取り出しやすいように収容でき、かつ、必要な数に応じて収容スペースを増減できる省スペースのハンドツールスタンドを提供することができる。
【図面の簡単な説明】
【００３５】
【図１】本発明の一実施形態によるハンドツールスタンドを斜め上方向から見た斜視図代用写真である。
【図２】本発明の一実施形態によるハンドツールスタンドを側面下から斜め上方向に見た斜視図代用写真である。
【図３】本発明の一実施形態によるハンドツールスタンドを側面下から斜め上方向に見た斜視図代用写真である。
【図４】本発明の一実施形態によるハンドツールスタンドを並列的に連結したものを斜め上方向から見た斜視図代用写真である。
【図５】本発明の一実施形態によるハンドツールスタンドを並列的に連結したものを斜め上方向から見た斜視図代用写真である。
【図６】本発明の一実施形態によるハンドツールスタンドの使用状態を示した斜視図代用写真である。
【図７】本発明の一実施形態によるハンドツールスタンドの使用状態を示した斜視図代用写真である。
【図８】本発明の一実施形態によるハンドツールスタンドを並列的に連結したものの使用状態を示した斜視図代用写真である。
【図９】本発明の一実施形態によるハンドツールスタンドを並列的に連結したものの使用状態を示した斜視図代用写真である。
【図１０】本発明の一実施形態によるハンドツールスタンドを並列的に連結したものの使用状態を示した斜視図代用写真である。
【図１１】本発明の一実施形態によるハンドツールスタンドの使用状態を示した斜視図代用写真である。
【図１２】本発明の一実施形態によるハンドツールスタンドの斜め上方向から見た斜視図である。
【図１３】本発明の一実施形態によるハンドツールスタンドの斜め上方向から見た斜視図代用写真である。
【図１４】本発明の一実施形態によるハンドツールスタンドの斜め上方向から見た斜視図代用写真である。
【図１５】本発明の一実施形態によるハンドツールスタンドの斜視図である。
【図１６】本発明の一実施形態によるハンドツールスタンドの斜視図である。
【図１７】本発明の一実施形態によるハンドツールスタンドの斜視図である。
【図１８】本発明の一実施形態によるハンドツールスタンドの斜視図である。
【図１９】本発明の一実施形態によるハンドツールスタンドの斜視図である。
【図２０】本発明の一実施形態によるハンドツールスタンドの使用状態を示した側面図である。
【発明を実施するための形態】
【００３６】
以下に本発明の実施形態を、図面を用いて説明する。以下の説明では、前出の部分と同一の部分については同一の符号を付して重複する説明を省略することがある。
【００３７】
図１から図３は、本発明の一実施形態によるハンドツールスタンド１を種々の方向から見たものを示している。以下の説明では、図１から図３まで併せて参照することにする。
【００３８】
図１は本発明の一実施形態によるハンドツールスタンドを斜め上方向から見た斜視図代用写真である。図１に示すように、ハンドツールスタンド１は、底壁２を有し、底壁２の一端部に前壁３が立設されている。前壁３と対向する底壁２の他の端部には、後壁４が立設されている。底壁２にはさらに、底壁２と前壁３と後壁４が画成する空間の側面の少なくとも一部を閉塞する側壁５が設けられている。側壁５は、底壁２と前壁３と後壁４が画成する空間の一側面にのみ設けられるようにしてもよいし、両側面に設けられるようにしてもよい。側壁５や後壁４は例えばピーラーのような刃の付いた器具を収容する際に、収容時の刃に対する位置を囲うまたは覆うことで、刃に触れにくくすることができる。また、底壁２から側壁５を立ち上げることでハンドツールスタンド１の歪みなどに対する強度を増すことができる。
【００３９】
本実施形態では、一側面に区切り用の比較的大きな側壁５が設けられ、他の側面には底辺部のみを閉塞する比較的小さな側壁５が設けられている。前壁３と後壁４は、略垂直でもよいが、上方に少し拡開または、閉じるように傾斜してもよい。
【００４０】
ハンドツールスタンド１の側方には、ハンドツールスタンド１同士を並列的に連結するための連結部６が設けられている。連結部６については後にさらに説明する。
【００４１】
前壁３の上端部には、図示しないハンドツールを支持するハンドツール支持部７が設けられている。ハンドツール支持部７はハンドツールを受けることができる構造であればよいが、本実施形態では、ハンドツール支持部７は前方向に延出する水平部８を有し、水平部８の中央部にはハンドツールを安定的に支持する凹部９が設けられている。凹部９は、ハンドツールの柄を含む支持箇所の横断面に対応する形状を有しているのが好ましい。例えば、ハンドツールの支持箇所の横断面が縦長形状を有している場合には、凹部９はハンドツールの支持箇所の幅より少し広い幅を有しているのが好ましい。先に述べたように、ハンドツール支持部７はハンドツールを受けることができる構造であればよく、水平部８と凹部９を設ける代わりに、ハンドツール支持部７は単に前壁３の上端部からなるようにしてもよい。
【００４２】
底壁２は、内側にハンドツールの先端部を受けるクッション部１０を有している。底壁２の底面には、図２に示すように、滑り止め部１１が設けられている。クッション部１０と滑り止め部１１は、弾性部材からなり、互いに別個の部材としてもよいし、互いに連結された一つの弾性部材からなるようにしてもよい。クッション部１０と滑り止め部１１が連結された一つの弾性部材からなる場合は、底壁２は前記弾性部材を嵌着させる開口部（図示せず）を有しているようにする。
【００４３】
本実施形態では、側壁５に連結部６が設けられている。図２に明らかに示すように、比較的大きな側壁５の外側には、縦断面コの字状の係合部１２が設けられている。一方、図３に明らかに示すように、比較的小さい側壁５の一部には、係合部１２と嵌合する係合溝１３が設けられている。係合溝１３は、上方の幅がわずかに狭くなっており、係合部１２が係合したときに、弾発的に係合するようになっている。ハンドツールスタンド１を複数個並列的に並べた状態で隣接するハンドツールスタンド１の互いに対応する部分に、係合部１２と係合溝１３を設け、ハンドツールスタンド１を複数個並列的に連結することができるようにする。無論、複数個連結されたハンドツールスタンド１から所定のハンドツールスタンド１を取り外すことができる。
【００４４】
なお、本実施形態では、係合部１２と係合溝１３は、側壁５に取り付けられている例を示したが、係合部１２と係合溝１３は側壁５がない部分では底壁２に直接的または間接的に接続するようにすることができる。また、本実施形態では、ハンドツールスタンド１の片側に係合部１２、他の側に係合溝１３を設けるようにしたが、両側に係合部１２を有するハンドツールスタンド１と、両側に係合溝１３を有するハンドツールスタンド１を連結するようにしてもよい。
【００４５】
なお、側壁５は、ハンドツールスタンド１のいずれの側にあっても、側方からハンドツールにアクセスすることができる開口部１４を有しているのが好ましい。開口部１４の機能についてはさらに後述する。
【００４６】
後壁４は、底壁２から立ち上がる立ち上がり部１５と、立ち上がり部１５に接続され、立ち上がり部１５に対してわずかに後方に傾斜する区分表示部１６と、区分表示部１６に接続され、後方ほぼ水平に延出するハンドル部１７とを有している。ハンドル部１７は、基部にくびれ部１８を有し、例えば略円形等の把持しやすい形状になっている。ハンドル部１７は、ハンドツールスタンド１全体を把持する目的と、収容するハンドツールの種類を簡単に認識させる目的のために設けられている。この両方の目的のために、ハンドル部１７ハンドル部には、例えばエラストマー樹脂からなるエンブレム部材１９が設けられている。エンブレム部材１９は弾性を有し、クッションの機能と滑り止め機能を有している。図２と図３に明らかに示すように、エンブレム部材１９はハンドル部１７の上面と下面から膨出し、ハンドル部１７の図示しない開口部に嵌着されている。ハンドツールの種類に対応するエンブレム部材１９を例えば、はめ込むことにより、ハンドル部１７は、一目でハンドツールの種類を認識することができる。
【００４７】
区分表示部１６は、わずかに上方に傾斜して視認しやすくなっており、収容するハンドツールの種類や細かい区分等を適宜表示できる機能を有している。この目的のために、区分表示部１６は、シール等を貼着できる表示部２０を有しているのが好ましい。
【００４８】
図４は、複数個のハンドツールスタンド１を並列的に連結したものを示している。図４から分かるように、ハンドツールスタンド１を複数個並列的に連結することにより、側壁５によって仕切られた複数の並列的な空間が形成され、それぞれの空間はハンドツール支持部７を有し、複数のハンドツールを収容することができるようになっている。
【００４９】
また、ここでは、ハンドツールスタンド１は同じ形状となっているが、連結部が合えば外形形状はハンドツールにより異なっていても良いものである。
【００５０】
図５は、図４と同様の複数個のハンドツールスタンド１を並列的に連結したものを示しているが、終端板２１を有している実施形態を示している。
【００５１】
図４のハンドツールスタンド１は、仕切り用の側壁５が片側にしか設けられていないため、複数個のハンドツールスタンド１を連結すると、連結されたものは側面の一つに仕切りがない状態になる。終端板２１は、連結された複数個のハンドツールスタンド１の片側に追加的に付けることにより、端部の収容空間を形成することができる。
【００５２】
図６は、本発明の一実施形態によるハンドツールスタンドの使用状態を示している。図６の例では、ハンドツールの一例としてスプーン２２を収容した状態を示している。スプーン２２は、先端部２３と柄２４を有している。スプーン２２をハンドツールスタンド１に入れた状態では、先端部２３が重さでハンドツールスタンド１の底壁２に当接し、柄２４の一部がハンドツール支持部７によって支持され、図示するように、柄２４が傾斜して取り出しやすいよう突き出している。スプーン２２の柄２４は平たい断面を有し、凹部９の狭い隙間に入って支持されるため、スプーン２２は側面で立った状態で静止し、手を伸ばしたときに自然に取り出しやすいようになっている。
【００５３】
このように、凹部９はハンドツールのハンドル部をその形状により左右から支えることにより、ハンドルツール自体を支え左右に回転しないように支える。
【００５４】
図７は、他のハンドツールスタンドを収容したハンドツールスタンドの使用状態を示している。
【００５５】
図７の例では、ハンドツールの例としてピーラー２５を収容した状態を示している。ピーラー２５はピール部２６と柄２７を有し、ピール部２６には刃が設けられている。図示するように、本実施形態のハンドツールスタンド１によれば、ピーラー２５をハンドツールスタンド１に入れた状態では、ピール部２６の刃の部分が最も安全に後壁４と側壁５の近傍の空間に収容され、柄２７の一部がハンドツール支持部７によって支持され、図示するように、柄２７の持ち手部分が傾斜して取り出しやすいように突き出している。また、図６の例と同様に、ピーラー２５の柄２７は平たい断面を有し、凹部９の狭い隙間に入って支持され、柄２７が手を伸ばしたときに自然に取り出しやすいように、断面が直立した状態で支持されている。
【００５６】
図８は、ハンドツールスタンド１を並列的に連結したものに複数のピーラー２５を収容した状態を示している。
【００５７】
図８から分かるように、本実施形態によれば、ハンドツールスタンド１を並列的に連結したものに複数のピーラー２５を収容すると、ピーラー２５が整然と整列され、すべてのピーラー２５の柄２７が、断面が直立した状態で取り出しやすいように傾斜して突き出している。これにより、各ピーラー２５間の距離を短くすることができ、全体の収容スペースをコンパクトにすることができる。また、手を伸ばしたときに、柄２７が自然に手に入るため、所望のピーラー２５を容易に取り出すことができる。それぞれのピーラー２５の先端部の刃を有する部分は、後壁４と側壁５に囲まれた空間に安全に収容されているため、不測の事故を防止することができる。
【００５８】
ハンドル部１７には、ハンドツールが「ピーラー」であることを示すエンブレム部材１９が嵌着され、区分表示部１６の表示部２０には、例えばピーラーの種類（千切り機能付きか否か等）やサイズ（千切りの幅等）を表示することができる。図８から分かるように、本実施形態によれば、区分表示部１６が傾斜していることにより、ピーラー２５が入った状態でも視認しやすく、同じ「ピーラー」の中で、所望のピーラー２５を瞬時に取り出すことができる。
【００５９】
前壁３と後壁４が上方に少し拡開するように傾斜しているようにすると、ハンドツールの先端部が目視しやすくなり、かつ、取り出しやすくなる。
【００６０】
図９は、ハンドツールスタンド１を並列的に連結したものに複数のピーラー２５を収容した状態から、所定のピーラー２５を取り出す方法を示している。
【００６１】
図示するように、ピーラー２５は柄２７が傾斜して突き出しているため、指２８で所望のピーラー２５の柄２７を選択して持ち上げることができる。持ち上げた後は、通常のように柄２７を把持することができる。
【００６２】
ハンドツールスタンド１の幅に余裕がある場合は、直接ハンドツールの柄の部分を把持すればよいが、個々のハンドツールスタンド１の幅を最小限にしてコンパクトな収容空間にした場合は、図９に示す方法が有効である。
【００６３】
図１０は、ハンドツールスタンド１を並列的に連結したものに複数のピーラー２５を収容した状態から、所定のピーラー２５を取り出す他の方法を示している。
【００６４】
図１０に示す方法では、指２８で所望のピーラー２５を選択して柄２７の末端を押し下げるようにする。所望のピーラー２５の柄２７の末端を押し下げ後は、ハンドツール支持部７より先端部の柄２７の部分を持ち上げるようにする。
【００６５】
このとき、側壁５が開口部１４を有することが有効に機能する。開口部１４は、側方からハンドツールにアクセス可能に設けられており、このため、ハンドツール支持部７より先端が持ち上がった柄２７の部分を容易に把持することができる。
【００６６】
無論、開口部１４は、ピーラー２５の柄２７の末端を押し下げた時だけではなく、ハンドツール支持部７より先端の柄２７の部分を直接把持する場合にも有益である。
【００６７】
ハンドツール支持部７の高さを適宜定めることにより、ピーラー２５の柄２７を最下端まで押し下げても、柄２７の末端が床面に当接し、その状態でピーラー２５が安定な状態に保持される。このため、ピーラー２５が跳ねて不測の事故を生じることを防止することができる。なお、ピーラーに限られず、刃部を有するハンドツールにも同様の効果を有することは言うまでもない。
【００６８】
また、これらは、引き出しに収容して使用したり、食卓のテーブルに置いたりして使用することで、素早く必要なものが取り出し、収納が出来て便利である
図１１は、ナイフのような刃が長く露出しているハンドツールを収容した本実施形態のハンドツールスタンドを示している。
【００６９】
図１１に示すように、ナイフ２９をハンドツールスタンド１に収容すると、刃部３０が底壁２と前壁３と後壁４によって画成された空間内に収容され、柄３１の一部がハンドツール支持部７によって支持されて、全体として傾斜して取り出しやすい状態で収容される。ナイフ２９の柄３１は通常断面が縦に長い形状を有しているため、ハンドツール支持部７の凹部９によって両側から支持され、刃部３０が意図せずに上を向くことがない。これによって、ナイフ２９を含む刃が長く露出しているハンドツールを安全に収容することができる。図７〜図１１に示すように、本実施形態のハンドツールスタンド１によれば、ハンドツールの先端（通常尖っている端部）は、後壁４と側壁５に囲まれた空間に安定的に収容することができ、また、刃が長く露出しているハンドツールの刃部を下向きに安定的に収容することができる。
【００７０】
図１２，１３，１４は、さらに安全性を高めるため、ハンドツールの先端の浮き上がりを係止する押さえ部を設けた実施形態を示している。
【００７１】
図１２に示すハンドツールスタンド１ａは、側壁５に押さえ部３２を有している以外は図１のハンドツールスタンド１と同様の構成を有している。
【００７２】
本実施形態によれば、ナイフ２９を収容すると、刃先が押さえ部３２に押さえられ、誤って柄３１を押さえてもナイフ２９の刃先が跳ね上がることがない。これにより、安全性を高めることができる。
【００７３】
図１３はハンドツールの先端の浮き上がりを防止する他の実施形態を示している。図１３のハンドツールスタンド１ｂは、側壁５に概略水平のスライド溝３３が設けられ、そのスライド溝３３内をスライドすることができるスライド部材３４を有している。スライド部材３４は、周面に溝からなる係止部を有している。
【００７４】
この実施形態によれば、図１３のようにナイフ２９を収容した後に、スライド部材３４を前方にスライドすると、ナイフ２９の刃の峰が傾斜し、スライド溝３３が概略水平であるため、スライド部材３４のスライドに伴って、スライド部材３４の係止部がナイフ２９の刃の峰と係合し、ナイフ２９の先端の浮き上がりを係止する。本実施形態によれば、ナイフ２９の幅に多少のばらつきがある場合でも、ナイフ２９の先端をしっかり押さえることができる。
【００７５】
図１４はハンドツールの先端の浮き上がりを防止するさらに他の実施形態を示している。図１４のハンドツールスタンド１ｃは、図１３のハンドツールスタンド１ｂとほぼ同様の構成を有し、側壁５に概略水平のスライド溝３３ｃが設けられている。ただし、本実施形態では、スライド溝３３ｃまたはスライド部材３４のいずれかまたは双方に、スライド部材３４の位置を固定するロック機構を有している。
【００７６】
ロック機構は、任意の公知の技術を用いることができる。例えば、スライド部材３４のスライド軸が回転角度によって幅が異なるようにし、一定の位置でスライド部材３４を回転させると、スライド部材３４のスライド軸が増大してスライド溝３３ｃと係合するようにしてもよい。あるいは、スライド部材３４のスライド軸がネジを有し、スライド部材３４の頭部を締めると、スライド部材３４がスライド溝３３ｃに固定されるようにしてもよい。あるいは、スライド溝３３ｃの方に複数の溝を設け、スライド部材３４に当該溝に弾発的に係合する係合部を設けるようにしてもよい。
【００７７】
図１５は他の実施形態によるハンドツールスタンドを示している。図１５のハンドツールスタンド１ｄは、組み立て構造のハンドツール支持部７ｄを有している。
【００７８】
本実施形態のハンドツール支持部７ｄは、支持子３８と支承部３９からなる。支持子３８は、軸４０と一対の対向する板材４１を有している。軸４０上に板材４１を設けることにより、板材４１の間がハンドツールを受け入れる凹部９を形成する。板材４１は一対に限られず、複数の凹部９を形成するように、３つ以上でもよい。
【００７９】
一方、支承部３９は、前方に略水平に延出する水平部４２を有している。水平部４２の上面には、支持子３８の軸４０を支承する支承溝４３が設けられている。図１５では、支承溝４３は一つの軸４０を受けられる構造を示しているが、支承溝４３は複数の軸受位置に設けても良い。
【００８０】
この構造により、本実施形態によれば、支持子３８を取り替えることが可能になり、使用するハンドツールの支持箇所に応じて適当な支持子３８を使用することができる。
【００８１】
また、板材４１は、凹部９の幅を変えられるように、軸４０上をスライド可能にしても良い。なお、板材４１をスライドさせる場合には、軸４０が同一径であり、板材４１をスライドさせた後に凹部９の深さを調整するスペーサを挿入するようにしてもよい。また、複数の軸受位置に支承溝４３を設けた場合は、ハンドツールの長さに合わせて支承位置を変えることができる。
【００８２】
なお、本実施形態のハンドツールスタンド１ｄは、連結部６の変形である連結部６ｄを有している。連結部６ｄは、頭部に膨出部を有する突起３６と、突起３６と嵌合する連結孔３７とを有している。突起３６と連結孔３７は、側壁５に設けてもよいし、底壁２に直接的または間接的に取り付けてもよい。また、一つのハンドツールスタンド１ｄに突起３６と連結孔３７を設けてもよいし、突起３６を有するハンドツールスタンド１ｄと連結孔３７を有するハンドツールスタンド１ｄを設けるようにしてもよい。
【００８３】
図１６は、本発明の一実施形態の使用状態を示している。本実施形態のハンドツールスタンド１ｅのハンドツール支持部７ｅは、凹部９の幅を変えられる支持子３８ｅを有している。支持子３８は、軸４０と一対の板材４１を有し、板材４１は軸４０上をスライドしてその間の幅（凹部９の幅）を変えられるようになっている。なお、図では板材４１間の軸４０はスペーサを有するため大径になっているが、スライドする部分は軸４０と同一径である。支承部３９は、前方に略水平に延出する水平部４２と支承溝４３を有し、支承溝４３によって支持子３８の軸４０を支承するようになっている。
【００８４】
また、ここでは軸４０は軸を示しているが、軸でなくとも支承部３９にはめ込めるものであれば良い。
【００８５】
さらに、ここでは支持子３８の両側の板材４１は円盤形を示すが、四角や三角形状でも良い。
【００８６】
このハンドツールスタンド１ｅに、例えば図示する縦型ピーラー４４を収容する場合について説明する。縦型ピーラー４４は縦に刃を備えたピール部４５と柄４６を有し、柄４６の持ち手部分の先端側に指をかけるリングを有している。リング部の基端に円弧状のくびれ部を有し、このくびれ部は持ち手部分より少し薄くなっている。この縦型ピーラー４４は、柄４６の持ち手部分で支持してもよいし、円弧状のくびれ部で支持してもよい。したがって、本実施形態の支持子３８ｅによれば、柄４６の持ち手部分の幅やくびれ部の幅に合わせて板材４１をスライドし、縦型ピーラー４４の任意の場所で支持することができる。
【００８７】
図１７は、本発明の他の実施形態によるハンドツールスタンドを示している。図１７のハンドツールスタンド１ｆにおいて、ハンドツール支持部７ｆは、複数の支持子３８ｆと支承部３９ｆを有している。図１７の例では支持子３８ｆは、凹部９が浅い支持子４７と凹部９が深い支持子４８を有している。支承部３９ｆは、長く延出した水平部４２ｆ上に複数（３つ）の支承溝４３ｆを有している。
【００８８】
本実施形態によれば、ハンドツールの幅に合わせて凹部９の深さが適合する支持子３８ｆを使用することができる。また、ハンドツールの長さに合わせて、支持子３８ｆを支承する支承溝４３ｆを選択することができる。
【００８９】
図１８は、ハンドツールを支持する凹部の深さを調整できる実施形態を示している。
【００９０】
図１８のハンドツールスタンド１ｇは、ハンドツールを支持する凹部の深さを調整できるハンドツール支持部７ｇを有している。ハンドツール支持部７ｇは、支持子３８ｇと支承部３９ｇからなる。支持子３８ｇは、軸４０ｇと一対の板材４１ｇを有し、板材４１ｇの間に偏心軸４９を有している。板材４１ｇの回転角度により偏心軸４９の偏りによって凹部９の深さが変化するようになっている。軸４０ｇには、溝５０が設けられている。
【００９１】
一方、支承溝４３ｇの内側にも溝５１が設けられている。支持子３８ｇの軸４０ｇの溝５０は、支承部３９ｇの支承溝４３ｇの溝５１と係合し、一定の角度間隔で支持子３８ｇの回転角度を止めるか回転に抵抗を有するようになっている。
【００９２】
この実施形態によれば、支持しようとするハンドツールの幅に応じて、支持子３８ｇを回転させ、凹部９が所望の深さになるようにすることができる。
【００９３】
図１９と図２０は、本発明の他の一実施形態によるハンドツールスタンドを示している。
【００９４】
図１９に示すように、本実施形態のハンドツールスタンド１ｈは、第一の底壁２ｈと、第一の後壁４ｈと、第一の側壁５ｈとを有する台座部１１０を有している。第一の底壁２ｈの外側面（すなわち、下側の面）は、ハンドツールスタンド１ｈをテーブルなどに載置させたときにテーブルに接触する載置面となる。第一の側壁５ｈには連結するための係合部１２と係合溝１３が設けられている。
【００９５】
ハンドツールスタンド１ｈはさらに、第一の底壁２ｈと第一の後壁４ｈと第一の側壁５ｈと、それぞれにほぼ平行な、第二の底壁６２と、第二の前壁６３と、第二の後壁６４と、第二の側壁６５と含むハンドツールの置台６１を有している。
【００９６】
置台６１はさらに、第二の前壁６３の上端部近傍に、ハンドツール支持部６７を有している。ハンドツール支持部６７は前方に突き出した水平部６８を有している。水平部６８の上部には凹部６９と湾曲部７０が設けられている。
【００９７】
置台６１の第二の底壁６２には、切欠部８０が設けられている。切欠部８０は、適宜省略することができる。
【００９８】
置台６１の第二の後壁６４の上端部には、後方に延設されたハンドル部７１が設けている。ハンドル部７１には、エンブレム部材７２が嵌着されている。第二の後壁６４の上端部には回転支持部７３が設けられ、回転支持部７３を支点として置台６１は全体が回転できるようになっている。なお、図１９においては、回転支持部７３はピンと該ピンを回動可能に支持する孔からなるが、回転支持の機構は、任意の公知の技術を採用することができる。
【００９９】
すなわち、ハンドツールスタンド１ｈは、載置面を有する台座部１１０と、台座部１１０に対して回動可能に支持された置台とを有し、ハンドツール支持部６７は、置台側に設けられている。
【０１００】
置台６１のハンドツール支持部６７は、ハンドツールの柄の部分を支持するのに好適であり、第二の前壁６３と第二の底壁６２と第二の後壁６４と第二の側壁６５で画成された空間は、ハンドツールのヘッド部分を安全に収容するのに好適である。また、置台６１は回転することにより、ハンドツールを取り出しやすくしている。このことを、図２０を用いて説明する。
【０１０１】
図２０（ａ）は、ハンドツールスタンド１ｈに、ハンドツールの一例としてピーラー８１を置いた状態を示している。図２０（ｂ）は、図２０（ａ）の状態のピーラー８１を取り出すところを示している。
【０１０２】
図２０（ａ）に示すように、ピーラー８１は長い柄８２を有し、ハンドツール支持部６７の水平に突き出した水平部６８によって、水平に保たれ、ユーザーに対して手前に突き出した状態で支持されている。水平部６８の上部には凹部６９が設けられ（図１９参照）、ピーラー８１の柄８２の部分を両側面から支えて、図示するようにピール部８３が立った状態でピーラー８１を支持している。これにより、ピーラー８１の柄８２は、人間が手を伸ばすと自然に手に入るようになっている。
【０１０３】
なお、本実施形態では、ハンドツール支持部６７の上部には湾曲部７０が設けられ、ピーラー８１の柄８２の先端部に設けられたリング状部分に、容易に指をかけられるようになっている。
【０１０４】
ピーラー８１のピール部８３は、第二の前壁６３と第二の底壁６２と第二の後壁６４と第二の側壁６５によって囲まれた空間に収容されている。これにより、刃を有する部分が手等に触れないようになっている。
【０１０５】
また、第二の底壁６２には切欠部８０が設けられ（図１９参照）、水に濡れたハンドツールの水切り等に有効である。
【０１０６】
図２０（ｂ）は、図２０（ａ）の状態のピーラー８１を取り出す一つの方法を示している。
【０１０７】
むろん、本実施形態によれば、ピーラー８１の柄８２は取り出しやすい状態で保持されているため、単に柄８２を握ってピーラー８１を取り出すことができる。しかし、図２０（ｂ）に示すように、ハンドル部７１に力Ｆをかけることにより、置台６１全体が回転し、ピーラー８１の柄８２を傾斜させ、ピーラー８１をさらに取り出しやすいようにすることができる。これにより、例えば作業台の上など低い場所にハンドツールを置く場合に特に有効である。
【０１０８】
なお、以上の説明はハンドツールの一例として調理用具のハンドツールスタンドについて説明したが、本発明のハンドツールスタンドは、以下のものに限られないが、例えば、大工道具用のハンドツールスタンド、園芸道具用のハンドツールスタンド、文房具用のハンドツールスタンド、キッチンツール用のハンドツールスタンド、歯ブラシ等の洗面道具用のハンドツールスタンド、ペットの手入れ道具用のハンドツールスタンド等に適用することができる。
【０１０９】
上記の記載に基づいて、当業者であれば、本発明の追加の効果や種々の変形を想到できるかもしれないが、本発明の態様は、上述した実施形態に限定されるものではない。特許請求の範囲に規定された内容及びその均等物から導き出される本発明の概念的な思想と趣旨を逸脱しない範囲で種々の追加、変更及び部分的削除が可能である。
【符号の説明】
【０１１０】
ハンドツールスタンド：１、１ａ、１ｂ、１ｃ、１ｄ、１ｅ、１ｆ、１ｇ、１ｈ
底壁：２、２ｈ、６２
前壁：３、６３
後壁：４、４ｈ、６４
側壁：５、５ｈ、６５
連結部：６、６ｄ
ハンドツール支持部：７、７ｄ、７ｅ、７ｆ、７ｇ、６７
水平部：８、４２、４２ｆ、４２ｇ、６８
凹部：９、６９
クッション部：１０
滑り止め部：１１
係合部：１２
係合溝：１３
開口部：１４
立ち上がり部：１５
区分表示部：１６
ハンドル部：１７、７１
くびれ部：１８
エンブレム部材：１９、７２
表示部：２０
終端板：２１
スプーン：２２
先端部：２３
柄：２４、２７、３１、４６、８２
ピーラー：２５、８１
ピール部：２６、４５、８３
指：２８
ナイフ：２９
刃部：３０
押さえ部：３２
スライド溝：３３、３３ｃ
スライド部材：３４
係止部：３５
突起：３６
連結孔：３７
支持子：３８、３８ｅ、３８ｆ、３８ｇ、４７、４８
支承部：３９、３９ｆ、３９ｇ
軸：４０、４０ｇ
板材：４１、４１ｇ
支承溝：４３、４３ｆ、４３ｇ
縦型ピーラー：４４
偏心軸：４９
溝：５０、５１
台座部：１１０
置台：６１
湾曲部：７０
回転支持部：７３
切欠部：８０
【図１】
2019122728.tif 000003
【図２】
2019122728.tif 000004
【図３】
2019122728.tif 000005
【図４】
2019122728.tif 000006
【図５】
2019122728.tif 000007
【図６】
2019122728.tif 000008
【図７】
2019122728.tif 000009
【図８】
2019122728.tif 000010
【図９】
2019122728.tif 000011
【図１０】
2019122728.tif 000012
【図１１】
2019122728.tif 000013
【図１２】
2019122728.tif 000014
【図１３】
2019122728.tif 000015
【図１４】
2019122728.tif 000016
【図１５】
2019122728.tif 000017
【図１６】
2019122728.tif 000018
【図１７】
2019122728.tif 000019
【図１８】
2019122728.tif 000020
【図１９】
2019122728.tif 000021
【図２０】
2019122728.tif 000022
【手続補正書】
【提出日】平成30年7月9日(2018.7.9)
【手続補正１】
【補正対象書類名】特許請求の範囲
【補正対象項目名】全文
【補正方法】変更
【補正の内容】
【特許請求の範囲】
【請求項１】
底壁と、
前記底壁に対して立ちあがった形状をなし、上端部にハンドツール支持部を設けた前壁と、
前記前壁と対向するように前記底壁に設けられた後壁と、
前記底壁と前記前壁と前記後壁によって画成される空間の前記前壁に近い側を開放しつつ、かつ側面の少なくとも一部を閉塞する側壁と、を有するハンドツールスタンドであって、
前記ハンドツールスタンドは、ハンドツールスタンド同士を並列的に連結する連結部を有することを特徴とするハンドツールスタンド。
【請求項２】
請求項１に記載のハンドツールスタンドであって、
前記ハンドツール支持部は、ハンドツールを受ける凹部を有していることを特徴とするハンドツールスタンド。
【請求項３】
底壁と、
前記底壁に対して立ちあがった形状をなし、上端部にハンドツール支持部を設けた前壁と、
前記前壁と対向するように前記底壁に設けられた後壁と、
前記底壁と前記前壁と前記後壁によって画成される空間の側面の少なくとも一部を閉塞する側壁と、を有するハンドツールスタンドであって、
前記底壁と前記後壁とほぼ平行な台座部を有し、
前記台座部は、前記ハンドツールスタンド同士を並列的に連結する連結部を有し、
前記ハンドツールスタンドは、前記後壁端部が前記台座部の前記後壁側端部に回動可能に支持されている
ことを特徴とするハンドツールスタンド。
【請求項４】
請求項１〜３のいずれか一項に記載のハンドツールスタンドであって、
前記側壁は、側方からハンドツールにアクセス可能な開口部を有していることを特徴とするハンドツールスタンド。
【請求項５】
請求項１〜４のいずれか一項に記載のハンドツールスタンドであって、
前記連結部は、前記底壁または前記側壁に接続された縦断面コの字状の係合部と、前記係合部と嵌合する係合溝を有することを特徴とするハンドツールスタンド。
【請求項６】
請求項１〜４のいずれか一項に記載のハンドツールスタンドであって、
前記連結部は、頭部に膨出部を有する突起と、
前記突起と嵌合する連結孔を有することを特徴とするハンドツールスタンド。
【請求項７】
請求項１〜６のいずれか一項に記載のハンドツールスタンドであって、
前記ハンドツール支持部は、ハンドツールを支持する支持子と、前記支持子を支承する支承部とを有することを特徴とするハンドツールスタンド。
【請求項８】
請求項７に記載のハンドツールスタンドであって、
前記支持子は取り替え可能であることを特徴とするハンドツールスタンド。
【請求項９】
底壁と、
前記底壁に対して立ちあがった形状をなし、上端部にハンドツール支持部を設けた前壁と、
前記前壁と対向するように前記底壁に設けられた後壁と、
前記底壁と前記前壁と前記後壁によって画成される空間の側面の少なくとも一部を閉塞する側壁と、を有するハンドツールスタンドであって、
前記ハンドツールスタンドは、ハンドツールスタンド同士を並列的に連結する連結部を有し、
前記ハンドツール支持部は、ハンドツールを支持する支持子と、前記支持子を支承する支承部とを有し、
前記支持子は取り替え可能であって、
前記支持子は、軸と、前記軸に設けられた、少なくとも一対の対向する板材を有していることを特徴とするハンドツールスタンド。
【請求項１０】
請求項９に記載のハンドツールスタンドであって、
前記板材は前記軸上でスライドして前記板材の間の幅を調節可能であることを特徴とするハンドツールスタンド。
【請求項１１】
請求項９または１０に記載のハンドツールスタンドであって、
前記板材の間の深さは前記支持子の回転角によって調節可能であることを特徴とするハンドツールスタンド。
【請求項１２】
請求項７〜１１のいずれか一項に記載のハンドツールスタンドであって、
前記支承部は前記前壁から前方に延出する水平部を有し、前記水平部は前記支持子を支承する支承溝を少なくとも一つ有していることを特徴とするハンドツールスタンド。
【請求項１３】
請求項１〜１２のいずれか一項に記載のハンドツールスタンドであって、
前記側壁はハンドツール先端の浮き上がりを係止する前記後壁側の前記側壁から床壁と平行に突出した押さえ部を有していることを特徴とするハンドツールスタンド。
【請求項１４】
底壁と、
前記底壁に対して立ちあがった形状をなし、上端部にハンドツール支持部を設けた前壁と、
前記前壁と対向するように前記底壁に設けられた後壁と、
前記底壁と前記前壁と前記後壁によって画成される空間の側面の少なくとも一部を閉塞する側壁と、を有するハンドツールスタンドであって、
前記ハンドツールスタンドは、ハンドツールスタンド同士を並列的に連結する連結部を有し、
前記側壁はハンドツール先端の浮き上がりを係止する押さえ部を有し、
前記押さえ部は、前記側壁に設けられた概略水平のスライド溝と、前記スライド溝内をスライドし、ハンドツール先端を係止する位置を調整することができる係止部を有するスライド部材を有していることを特徴とするハンドツールスタンド。
【請求項１５】
請求項１〜１４のいずれか一項に記載のハンドツールスタンドであって、
前記前壁と前記後壁は、上方に拡開するように傾斜していることを特徴とするハンドツールスタンド。
【請求項１６】
請求項１〜１５のいずれか一項に記載のハンドツールスタンドであって、
前記後壁は前記底壁からの立ち上がり部と、前記立ち上がり部に接続され、前記立ち上がり部に対してわずかに後方に傾斜する区分表示部と、前記区分表示部に接続され、後方に延出するハンドル部を有していることを特徴とするハンドツールスタンド。
【請求項１７】
請求項１〜１６のいずれか一項に記載のハンドツールスタンドであって、
並列的に連結されたハンドツールスタンドの側面に取り付け可能な終端板を有していることを特徴とするハンドツールスタンド。
【手続補正書】
【提出日】平成30年10月17日(2018.10.17)
【手続補正１】
【補正対象書類名】特許請求の範囲
【補正対象項目名】全文
【補正方法】変更
【補正の内容】
【特許請求の範囲】
【請求項１】
作用部と前記作用部に接続した柄とを有するハンドツールを置くためのハンドツールスタンドであって、
底壁と、
前記底壁に対して立ちあがった形状をなし、上端部にハンドツール支持部を設けた前壁と、
前記前壁と対向するように前記底壁に設けられた後壁と、
前記底壁と前記前壁と前記後壁によって画成される作用部収容空間の前記前壁に近い側を開放しつつ、かつ側面の少なくとも一部を閉塞する側壁と、
ハンドツールスタンド同士を並列的に連結する連結部と、を有し、
前記ハンドツール支持部は、
前記ハンドツールの前記作用部を前記作用部収容空間に収容するとともに、前記ハンドツールの前記柄を前記前壁よりも前方に突出させる位置に設けられており、
前記ハンドツールの前記柄を下方向に回動した場合に、前記作用部側の端部が上方向に回動するように、前記ハンドツールの前記作用部と前記柄の間の部分を支持する
ことを特徴とするハンドツールスタンド。
【請求項２】
請求項１に記載のハンドツールスタンドであって、
前記ハンドツール支持部は、ハンドツールを受ける凹部を有していることを特徴とするハンドツールスタンド。
【請求項３】
置台と、台座部と、を有するハンドツールスタンドであって、
前記置台は、底壁と、前記底壁に対して立ちあがった形状をなし、上端部にハンドツール支持部を設けた前壁と、前記前壁と対向するように前記底壁に設けられた後壁と、前記底壁と前記前壁と前記後壁によって画成される空間の側面の少なくとも一部を閉塞する側壁と、を有し、
前記台座部は、前記置台の前記底壁と前記後壁とほぼ平行な底壁と後壁を有し、
前記台座部は、前記ハンドツールスタンド同士を並列的に連結する連結部を有し、
前記置台の前記後壁端部が前記台座部の前記後壁側端部に回動可能に支持されている
ことを特徴とするハンドツールスタンド。
【請求項４】
請求項１〜３のいずれか一項に記載のハンドツールスタンドであって、
前記側壁は、側方からハンドツールにアクセス可能な開口部を有していることを特徴とするハンドツールスタンド。
【請求項５】
請求項１〜４のいずれか一項に記載のハンドツールスタンドであって、
前記連結部は、前記底壁または前記側壁に接続された縦断面コの字状の係合部と、前記係合部と嵌合する係合溝を有することを特徴とするハンドツールスタンド。
【請求項６】
請求項１〜４のいずれか一項に記載のハンドツールスタンドであって、
前記連結部は、頭部に膨出部を有する突起と、
前記突起と嵌合する連結孔を有することを特徴とするハンドツールスタンド。